(57)【要約】【課題】設置作業を簡単にし、ＲＦ信号を挟帯域化する。【解決手段】１はＶＨＦアンテナ、２はＵＨＦアンテナ、３はＢＳ信号及び１１０・ＣＳ信号を受信する第３の衛星受信アンテナであり、１２は、ＪＣＳＡＴ−３衛星からの衛星信号、すなわち重複する周波数を有する異なる偏波の組の衛星信号として、１２．２０〜１２．７５［ＧＨｚ］の周波数帯ｆ１のＶ１信号及びＨ１信号の組の衛星信号を受信する第１衛星受信アンテナである。第１送受信装置を、第１衛星受信アンテナ１２から出力されたＶ１信号及びＨ１信号を受信側に無線送信する第１再送信装置と、第１再送信装置から無線送信されたＶ１信号及びＨ１信号を受信するために、例えば住戸に設置された再受信装置４６とから構成する。【選択図】図１
2004297221.tif 000002
【特許請求の範囲】
【請求項１】
重複する周波数を有する異なる偏波の組から成る第１の衛星信号を受信する第１衛星受信アンテナと、
同様に重複する周波数を有する異なる偏波の組から成る第２の衛星信号を受信する第２衛星受信アンテナと、
受信した第１の衛星信号を第２の衛星信号と異なる周波数に周波数変換して出力する第１周波数変換手段と、
第１周波数変換手段の出力信号を受信側に無線伝送する第１送受信装置と、
第２衛星受信アンテナの出力信号を受信側に無線伝送する第２送受信装置と、
受信側にて伝送されてきた前記第１送受信装置の出力信号及び前記第２送受信装置の出力信号を、互いに異なる周波数帯に周波数変換する第２周波数変換手段と、
を備えたことを特徴とする衛星信号受信伝送システム。
【請求項２】
重複する周波数を有する異なる偏波の組から成る第１の衛星信号を受信する第１衛星受信アンテナと、
同様に重複する周波数を有する異なる偏波の組から成る第２の衛星信号を受信する第２衛星受信アンテナと、
受信した第１の衛星信号を第２の衛星信号と異なる周波数に周波数変換して出力する第１周波数変換手段と、
受信した第２の衛星信号を第１の衛星信号と異なる周波数に周波数変換して出力する第２周波数変換手段と、
第１周波数変換手段の出力信号を受信側に無線伝送する第１送受信装置と、
第２周波数変換手段の出力信号を受信側に無線伝送する第２送受信装置と、
受信側にて伝送されてきた前記第１送受信装置の出力信号、及び前記第２送受信装置の出力信号を、互いに異なる周波数帯に周波数変換する第３周波数変換手段と、
を備えたことを特徴とする衛星信号受信伝送システム。
【請求項３】
第１送受信装置が、前段の出力信号を受信側に無線送信する第１送信アンテナと、第１送信アンテナの無線送信信号を受信する第１受信アンテナとを含んでなり、
また第２送受信装置が、前段の出力信号を受信側に無線送信する第２送信アンテナと、第２送信アンテナの無線送信信号を受信する第２受信アンテナとを含んでなり、
前記第１送信アンテナと前記第２送信アンテナとの内、少なくとも一方の主ローブの半値角が、無線伝送の対象となる前記第１受信アンテナ及び第２受信アンテナの主ローブの半値角よりも大きいものである
請求項１または請求項２に記載の衛星信号受信伝送システム。
【請求項４】
重複する周波数を有する異なる偏波の組から成る衛星信号を受信する衛星受信アンテナと、前記衛星受信アンテナで受信した衛星信号を前記受信衛星信号と異なる周波数に変換して出力する無線回路部と、地上の所定の放送サービスエリアへ前記無線回路部の出力信号を再送信する再送信アンテナとを備えてなる衛星信号再送信装置。
【請求項５】
衛星受信アンテナが、重複する周波数を有し異なる偏波の組から成る第１の衛星信号を受信する第１衛星受信アンテナと、同様に重複する周波数を有し異なる偏波の組から成る第２の衛星信号を受信する第２衛星受信アンテナと、からなり、
無線回路部が、第１衛星受信アンテナで受信した第１の衛星信号を、第２の衛星信号に対して周波数の重複部が無いように周波数変換して出力する第１無線回路部と、第２衛星受信アンテナで受信した第２の衛星信号を、その第２の衛星信号と同一の周波数で出力する第２無線回路部と、からなり、
再送信アンテナが、前記第１無線回路部の出力信号を再送信する第１再送信アンテナと、前記第２無線回路部の出力信号を再送信する第２再送信アンテナと、からなる
請求項４に記載の衛星信号再送信装置。
【発明の詳細な説明】
【０００１】
【発明の属する技術分野】
本発明は、衛星放送或いは衛星信号を受信して伝送する衛星信号受信伝送システムに関し、特に周波数帯が重複している２衛星の信号を受信する衛星信号受信伝送システム、及びそのシステムに好適な衛星信号再送信装置に関する。
【０００２】
【従来の技術】
放送，通信に利用されている衛星としてはＢＳ衛星、ＣＳ衛星の他、スカイパーフェクＴＶ（登録商標）として利用されているＪＣＳＡＴ−３、ＪＣＳＡＴ−４等の衛星が知られているが、放送，通信に使用されている衛星数は更に増加する傾向にある。このような衛星放送を受信する衛星放送システムとして、例えばＢＳ，ＪＣＳＡＴ−４衛星信号を地上波放送信号と共に１本の信号ケーブルで伝送すると共に、互いに周波数帯に重なり部を有する２つの衛星信号（例えば、ＪＣＳＡＴ−３衛星信号とＣＳ信号）を夫々異なる信号ケーブルで伝送し、４つの衛星信号及び地上波放送信号を合計３本の信号ケーブルで伝送して受信する構成のシステムが開示されている（特許文献１）。
【０００３】
また、衛星から送信された放送信号を受信するための第１のアンテナと、このアンテナにより受信された放送信号を少なくとも増幅して受信放送信号と同一周波数からなる送信放送信号を出力するための無線回路部と、この無線回路部から出力された送信放送信号を受信する第２のアンテナからなり、衛星からの放送信号を直接受信できない不感エリアでも、大掛かりな設備を設けることなく確実に受信させることができるようにした衛星放送システムが案出されている（特許文献２）。
【０００４】
【特許文献１】
特開平１１−２９８８１０号公報
【特許文献２】
特開平１０−３０８６９５号公報
【０００５】
【発明が解決しようとする課題】
しかし、特許文献１のシステムは受信衛星数に対して１本少ない信号ケーブルで受信端に伝送できるものの、３本の信号ケーブルが必要であるため、信号ケーブルの引込み及び配線は厄介であるし、各部屋には夫々の信号ケーブルに対応した３個のテレビ端子が必要であった。更に、ＪＣＳＡＴ−３とＪＣＳＡＴ−４の双方の信号を受信する場合は受信信号を切替える衛星切替手段が各テレビ端子毎に必要であった。
【０００６】
また、特許文献２のシステムでは、再送信装置としてのギャップフィラー装置が同一の周波数で再送信するものであるため、受信端の規格周波数に対応できないことがあり、その場合には受信側の既存設備を利用できなかった。さらに周波数の重複する衛星を使用した場合には、新たに個別のケーブル敷設が必要となり設置作業に手間が掛っていた。
【０００７】
さらに、再送信装置としては、重複する周波数を有する異なる偏波の組から成る衛星の信号を２組用いて、重複部分の無い配列に一列に周波数変換して無線伝送するものが知られている。しかし、この場合には、衛星毎に１ＧＨｚ幅に周波数変換するため、合わせて２ＧＨｚの帯域幅が必要となる。従って、増幅器、混合器等の適用帯域幅を広くしなければならず、必要な部品点数が多くなると共に高価な部品が必要となり、製造コストが増加する問題があった。
【０００８】
そこで、本発明は上記問題点に鑑み、設置作業が簡単にでき、無線伝送信号を狭帯域化できる衛星信号受信伝送システム及び衛星信号再送信装置の提供を目的とする。
【０００９】
【課題を解決するための手段】
請求項１の発明による衛星信号受信伝送システムは、重複する周波数を有する異なる偏波の組から成る第１の衛星信号を受信する第１衛星受信アンテナと、同様に重複する周波数を有する異なる偏波の組から成る第２の衛星信号を受信する第２衛星受信アンテナと、受信した第１の衛星信号を第２の衛星信号と異なる周波数に周波数変換して出力する第１周波数変換手段と、第１周波数変換手段の出力信号を受信側に無線伝送する第１送受信装置と、第２衛星受信アンテナの出力信号を受信側に無線伝送する第２送受信装置と、受信側にて伝送されてきた前記第１送受信装置の出力信号及び前記第２送受信装置の出力信号を、互いに異なる周波数帯に周波数変換する第２周波数変換手段とを備えて構成される。
【００１０】
請求項２の発明による衛星信号再送信装置は、重複する周波数を有する異なる偏波の組から成る第１の衛星信号を受信する第１衛星受信アンテナと、同様に重複する周波数を有する異なる偏波の組から成る第２の衛星信号を受信する第２衛星受信アンテナと、受信した第１の衛星信号を第２の衛星信号と異なる周波数に周波数変換して出力する第１周波数変換手段と、受信した第２の衛星信号を第１の衛星信号と異なる周波数に周波数変換して出力する第２周波数変換手段と、第１周波数変換手段の出力信号を受信側に無線伝送する第１送受信装置と、第２周波数変換手段の出力信号を受信側に無線伝送する第２送受信装置と、受信側にて伝送されてきた前記第１送受信装置の出力信号、及び前記第２送受信装置の出力信号を、互いに異なる周波数帯に周波数変換する第２周波数変換手段と、を備えて構成される。
【００１１】
請求項３の発明による衛星信号再送信装置は、第１送受信装置が、前段の出力信号を受信側に無線送信する第１送信アンテナと、第１送信アンテナの無線送信信号を受信する第１受信アンテナとを含んでなり、また第２送受信装置が、前段の出力信号を受信側に無線送信する第２送信アンテナと、第２送信アンテナの無線送信信号を受信する第２受信アンテナとを含んでなり、前記第１送信アンテナと前記第２送信アンテナとの内、少なくとも一方の主ローブの半値角が、無線伝送の対象となる前記第１受信アンテナ及び第２受信アンテナの主ローブの半値角よりも大きいものであるように構成される。
【００１２】
請求項４の発明による衛星信号再送信装置は、重複する周波数を有する異なる偏波の組から成る衛星信号を受信する衛星受信アンテナと、前記衛星受信アンテナで受信した衛星信号を前記受信衛星信号と異なる周波数に変換して出力する無線回路部と、地上の所定の放送サービスエリアへ前記無線回路部の出力信号を再送信する再送信アンテナとを備えるように構成される。
【００１３】
請求項５の発明による衛星信号再送信装置は、衛星受信アンテナが、重複する周波数を有し異なる偏波の組から成る第１の衛星信号を受信する第１衛星受信アンテナと、同様に重複する周波数を有し異なる偏波の組から成る第２の衛星信号を受信する第２衛星受信アンテナと、からなり、無線回路部が、第１衛星受信アンテナで受信した第１の衛星信号を、第２の衛星信号に対して周波数の重複部が無いように周波数変換して出力する第１無線回路部と、第２衛星受信アンテナで受信した第２の衛星信号を、その第２の衛星信号と同一の周波数で出力する第２無線回路部と、からなり、再送信アンテナが、前記第１無線回路部の出力信号を再送信する第１再送信アンテナと、前記第２無線回路部の出力信号を再送信する第２再送信アンテナとから構成される。
【００１４】
【発明の実施の形態】
以下、本発明を具体化した実施の形態を、図面に基づいて詳細に説明する。図１は本発明に係る衛星信号受信伝送システムのブロック図を示し、図２（ａ）〜図２（ｄ）はこのシステムにおける受信周波数の変化を説明する周波数スペクトラムを示している。
【００１５】
図１において、１はＶＨＦアンテナ、２はＵＨＦアンテナ、３はＢＳ信号及び１１０・ＣＳ信号を受信する第３の衛星受信アンテナであり、ＶＨＦ受信信号とＵＨＦ受信信号は混合器４で混合され、混合機能を有する第１ブースタ５に入力される。また、第３の衛星受信アンテナ３で受信したＢＳ，ＣＳ信号は内蔵するコンバータにより図２（ａ）に示す周波数帯にＩＦ変換されて出力され、第１ブースター５に入力される。具体的には、ＢＳ信号（ＢＳ）は１０３２〜１４８９ＭＨｚの周波数帯にＩＦ変換され、ＣＳ右偏波信号（ＣＳ−Ｒ）は１５９５〜２０７１ＭＨｚにＩＦ変換され、ＣＳ左偏波信号（ＣＳ−Ｌ）は２１２６〜２６０２ＭＨｚにＩＦ変換される。
【００１６】
第１ブースター５の出力は１本の信号ケーブル１０で伝送され、例えば引込む住戸の数に応じて分岐器６ａ，６ｂにより分岐して引込まれ、引込まれた住戸内では分配器７が設けられ、例えば部屋数に応じて分配されている。そして分配された各信号は受信端となるテレビ端子１１のうち一方の第１テレビ端子１１ａに接続される。この第１テレビ端子１１ａには分岐器２４が設けられ、一方の分岐出力がＢＳ／ＣＳチューナ２５に接続されてテレビ受像機２６に接続され、他方の分岐出力は直接テレビ受像機２６に接続される。こうして地上放送及びＢＳ，ＣＳ信号が受信できる。
【００１７】
図３に示すように、１２は、ＪＣＳＡＴ−３衛星からの衛星信号、すなわち重複する周波数を有する異なる偏波の組の衛星信号として、１２．２０〜１２．７５［ＧＨｚ］の周波数帯ｆ１の垂直偏波信号（以下「Ｖ１信号」とする）及び水平偏波信号（以下「Ｈ１信号」とする）の組の衛星信号（図２（ｂ）参照）を受信する第１衛星受信アンテナである。第１衛星受信アンテナ１２は、これらの衛星信号の受信部としての第１受信フィードホーン部４１と、第１受信フィードホーン部４１から入力されたＶ１信号及びＨ１信号を偏波分離する直交偏波分離用分波器（以下「第１ＯＭＴ」とする）４２と、第１ＯＭＴ４２の分波出力信号をＶ１信号用及びＨ１信号用の夫々の伝送線に伝送するための第１同軸導波管変換器４３，４３とから構成されている。第１衛星受信アンテナ１２は、受信したＶ１信号及びＨ１信号を同一の周波数帯域のまま、受信側としての住戸に無線伝送するための第１送受信装置４４に接続されている。
【００１８】
第１送受信装置４４は、第１衛星受信アンテナ１２から出力されたＶ１信号及びＨ１信号を受信側に無線送信する第１再送信装置４５と、第１再送信装置４５から無線送信されたＶ１信号及びＨ１信号を受信するために、例えば住戸に設置された再受信装置４６とから構成されている。
【００１９】
第１再送信装置４５は、Ｖ１信号及びＨ１信号を夫々の分離した伝送線上で増幅すると共に不要信号を除去する第１低雑音増幅器（以下「第１ＬＮＡ」）４７と、伝送ケーブル１６ａ，１６ａと、合成したＶ１信号及びＨ１信号を再送信する第１再送信アンテナ５１とから構成されている。ここで、第１ＬＮＡ４７は、請求項５に記載の第２無線回路部を構成する。この第１ＬＮＡ４７は、Ｖ１信号及びＨ１信号の各伝送線上に、増幅機能を備えた増幅器４７ａ，４７ａと不要な信号成分の除去機能を備えたＢＰＦ４７ｂ，４７ｂとを配置して構成されている。
【００２０】
第１再送信アンテナ５１は、第１受信フィードホーン部４１から入力されたＶ１信号及びＨ１信号を合成する第１直交偏波合成器（以下「第１合成器」とする）４８と、合成されたＶ１信号及びＨ１信号の再送信部である第１送信フィードホーン部４９とから構成されている。
【００２１】
第１衛星受信アンテナ１２の第１同軸導波管変換器４３から出力されたＶ１信号及びＨ１信号は、第１ＬＮＡ４７に入力され、増幅器４７ａ，４７ａで送信可能な状態に増幅され、ＢＰＦ４７ｂ，４７ｂを介して、第１再送信アンテナ５１の第１合成器４８に入力される。そして第１合成器４８で合成されたＶ１信号及びＨ１信号は、図２（ｃ）の周波数スペクトラムに示す周波数帯１２．２０〜１２．７５［ＧＨｚ］の周波数帯ｆ３及びｆ４のＶ１信号及びＨ１信号として、第１送信フィードホーン部４１から住戸の再受信装置４６に再放射される。
【００２２】
一方、図４に示すように、１３はＪＣＳＡＴ−４衛星、すなわち重複する周波数を有する異なる偏波の組の衛星信号として、１２．２０〜１２．７５［ＧＨｚ］の周波数帯ｆ２の垂直偏波信号（以下「Ｖ２信号」とする）及び水平偏波信号（以下「Ｈ２信号」とする）の組の衛星信号（図２（ｂ）参照）を受信する第２衛星受信アンテナである。第２衛星受信アンテナ１３は、第１衛星受信アンテナ１２と同様に、第２受信フィードホーン部６１と、第２ＯＭＴ６２と、第２同軸導波管変換器６３とから構成され、第２衛星受信アンテナ１３は、受信したＶ２信号及びＨ２信号を第１衛星受信アンテナ１２のＶ１信号及びＨ１信号とは異なる周波数帯に変換して、受信側としての例えば住戸に無線伝送するための第２送受信装置６４に接続されている。
【００２３】
第２送受信装置６４は、第２衛星受信アンテナ１３から出力されたＶ２信号及びＨ２信号を受信側に無線送信する第２再送信装置６５と、第２再送信装置６５から無線送信されたＶ２信号及びＨ２信号を受信するために、住戸に設置された再受信装置４６とから構成されている。
【００２４】
第２再送信装置６５は、Ｖ２信号及びＨ２信号を夫々分離した伝送線上で、増幅すると共に不要信号を除去する第２低雑音増幅器（以下「第２ＬＮＡ」）６７と、Ｖ２信号及びＨ２信号の周波数帯をＶ１信号及びＨ１信号とは異なる周波数帯に変換する第１周波数変換部としての第１コンバータ部６６と、伝送ケーブル１６ｂ，１６ｂと、合成されたＶ２信号及びＨ２信号を再送信する第２再送信アンテナ６８とから構成されている。ここで、第２ＬＮＡ６７と第１コンバータ部６６とは、請求項５の第１無線回路部を構成する。この第２ＬＮＡ６７は、Ｖ２信号及びＨ２信号の各伝送線上に、増幅機能を備えた増幅器６７ａ，６７ａと不要な信号成分の除去するＢＰＦ６７ｂ，６７ｂとを配置して構成されている。
【００２５】
第１コンバータ部６６は、Ｖ２信号及びＨ２信号を図２（ｃ）に示す周波数帯ｆ５及びｆ６に周波数変換するためのローカル周波数を生成する局部発振器６６ａと、ローカル信号を２分配する分配器６６ｂと、ＢＰＦ６６ｃを介して分配器６６ｂから分配出力されたローカル信号と前段の第２ＬＮＡ６７から出力されたＶ２信号とを混合してＩＦ変換するミキサ６９と、ミキサ６９で周波数帯ｆ５のＩＦ−Ｖ２信号にＩＦ変換された出力信号をＢＰＦ６６ｄを介して増幅する増幅器６６ｅとから構成されている。同様にＨ２信号も局部発振器６６ａによって周波数帯ｆ６のＩＦ−Ｈ２信号にＩＦ変換される。また第２再送信アンテナ６８は、第１再送信アンテナ５１と同様に、第２直交偏波合成器（以下「第２合成器」とする）７０と、第２送信フィードホーン部７１とから構成されている。
【００２６】
第２衛星受信アンテナ１３の第２同軸導波管変換器６３から出力されたＩＦ−Ｖ２信号及びＩＦ−Ｈ２信号は、夫々、第２ＬＮＡ６７で送信可能な状態に増幅されると共に成形され、第１コンバータ部６６でＩＦ−Ｖ２信号及びＩＦ−Ｈ２信号にＩＦ変換され、第２再送信アンテナ６８の第２合成器７０に入力される。そして第２合成器７０で合成されたＩＦ−Ｖ２信号及びＩＦ−Ｈ２信号は、図２（ｃ）の周波数スペクトラムに示す周波数帯１１．００〜１１．５５［ＧＨｚ］の周波数帯ｆ５及びｆ６のＩＦ−Ｖ２信号及びＩＦ−Ｈ２信号として、第２送信フィードホーン部７１から再受信装置４６に再放射される。
【００２７】
図５に示すように、再受信装置４６は、Ｖ１信号及びＨ１信号の再受信部としての第１再受信アンテナ７２と、ＩＦ−Ｖ２信号及びＩＦ−Ｈ２信号の再受信部としての第２再受信アンテナ７３と、第１及び第２受信アンテナ７２，７３の受信信号の内で増幅する信号を信号切替回路７４で切替えて出力可能に構成されたＲＦアンプ部７５と、ＲＦアンプ部７５の出力信号を周波数変換する第２周波数変換手段としての第２コンバータ部７６とから構成されている。
【００２８】
第１再受信アンテナ７２は、受信したＶ１信号及びＨ１信号を偏波分離して個別の伝送線に出力可能に構成され、また第２再受信アンテナ７３は、受信したＩＦ−Ｖ２信号及びＩＦ−Ｈ２信号を偏波分離して個別の伝送線に出力可能に構成されている。ＲＦアンプ部７５は、分離出力されたＶ１信号、Ｈ１信号、ＩＦ−Ｖ２信号及びＩＦ−Ｈ２信号を夫々増幅するＶ１信号用増幅器７７ａ、Ｈ１信号用増幅器７７ｂ、ＩＦ−Ｖ２信号用増幅器７８ａ及びＩＦ−Ｈ２信号用増幅器７８ｂを備えている。これらの増幅器７７ａ，７７ｂ，７８ａ，７８ｂは、増幅動作のＯＮ／ＯＦＦを切替制御するための制御端子を備え、制御端子はこれらの増幅器７７ａ，７７ｂ，７８ａ，７８ｂを切替制御可能に構成された信号切替回路７４に接続されている。
【００２９】
Ｖ１信号用増幅器７７ａ及びＨ１信号用増幅器７７ｂの出力端は、後段の増幅器７７に接続され、その増幅器７７の出力端は第２コンバータ部７６の一方の入力端子７６ａに接続されている。第２コンバータ部７６は、ＢＰＦを介して入力されたＶ１信号及びＨ１信号を、図２（ｄ）に示す周波数帯ｆ７のＩＦ−Ｖ１信号及びｆ８のＩＦ−Ｈ１信号に周波数変換するためのローカル周波数の第１発振器７９を備えている。第１発振器７９によって周波数変換されたＩＦ−Ｖ１信号及びｆ８のＩＦ−Ｈ１信号は出力増幅器８２で増幅されカップリングコンデンサＣ１を介して第２コンバータ部７６の共通出力端子７６ｃから出力される。
【００３０】
またＩＦ−Ｖ２信号用増幅器７８ａ及びＩＦ−Ｈ２信号用増幅器７８ｂの出力端は、後段の増幅器７８に接続され、その増幅器７８の出力端は第２周波数変換手段としての第２コンバータ７６の他方の入力端子７６ｂに接続されている。第２コンバータ７６は、ＩＦ−Ｖ２信号及びＩＦ−Ｈ２信号を、図２（ｄ）に示す周波数帯ｆ９のＩＦ２−Ｖ２信号及びｆ１０のＩＦ２−Ｈ２信号に、さらに周波数変換するためのローカル周波数の第２発信器８１を備えている。ＩＦ２−Ｖ１信号及びＩＦ２−Ｈ１信号は出力増幅器８３で増幅されカップリングコンデンサＣ２を介して第２コンバータ７６の入出力端子７６ｃから出力される。
【００３１】
そして、第２コンバータ７６の入出力端子７６ｃは、後述する信号切替器２０に接続され、内蔵した分配器により４分配されて出力される。その出力は上記第１テレビ端子１１ａに隣接して設けられた受信端を構成する第２テレビ端子１１ｂに接続される。また、第２テレビ端子１１ｂはＪＣＳＡＴ−３及びＪＣＳＡＴ−４の衛星信号を受信するＪＣＳＡＴ用チューナ２７に接続された後テレビ受像器２６に接続される。こうして、ＪＣＳＡＴ−３及びＪＣＳＡＴ−４の衛星信号が受信できる。
【００３２】
信号切替器２０は図６のブロック図に示すように構成され、３０は分波器、３３ａは４分配する第２分配器、３３ｂは４分配する第１分配器、３４は出力切替手段である出力切替器である。分波器３０は入力された図２（ｄ）に示す受信信号を２分波して２つに分波出力する。第１分波出力３０ａは図２（ｄ）のｆ７及びｆ８の周波数帯即ちＪＣＳＡＴ−３のＩＦ−Ｖ１信号及びＩＦ−Ｈ１信号を出力し、第２分波出力３０ｂはｆ９及びｆ１０の周波数帯即ちＪＣＳＡＴ−４のＩＦ２−Ｖ１信号及びＩＦ２−Ｈ１信号を出力している。そして、第１分波出力３０ａは第２分配器３３ａで４分配され、夫々出力切替器３４の一方のポートに接続されている。また第１分波出力３０ｂは第１分配器３３ｂで４分配され、出力切替器３４の他方のポートに接続されている。
【００３３】
出力切替器３４はリレーで構成され、受信端の第２テレビ端子１１ｂに接続されるＪＣＳＡＴ用チューナ２７から信号線を介して出力される例えばパルス信号からなる衛星識別信号で切替動作する。衛星識別信号は、信号線路に介在させた分離回路３５ａで分離されてリレー制御回路３５ｂに入力され、リレー制御回路３５ｂを動作させて出力切替器３４を切替動作させている。さらに衛星識別信号は、第２コンバータ部７６の入出力端子７６ｃから出力端子７６ｄを経由して前段の信号切替回路７４に入力され、出力切替器３４の切替動作と同期して所要の衛星信号を選択し増幅出力するように切替動作させている。
【００３４】
こうして、ＪＣＳＡＴ用チューナ２７の操作でＪＣＳＡＴ−３の信号とＪＣＳＡＴ−４の信号を選択して受信でき、ＪＣＳＡＴ−３の受信信号は規格化された標準の周波数帯に第２コンバータ部７６でＩＦ変換出力してＪＣＳＡＴ用チューナ２７で受信可能となる。また、ＪＣＳＡＴ−４の受信信号は第２衛星受信アンテナの第１コンバータ部６６でＩＦ変換した後、受信側の第２コンバータ部７６で再びＩＦ変換して、同様に規格化されたＪＣＳＡＴ用チューナ２７で受信可能となる。
【００３５】
このように、ＪＣＳＡＴ−３及びＪＣＳＡＴ−４の衛星信号の偏波の組を変えずにＪＣＳＡＴ−４の衛星信号を周波数変換したので、無線伝送路での無線伝送信号の帯域幅を従来の約２ＧＨｚ幅に比較して半分の約１ＧＨｚ幅に狭帯域化できる。従って、広帯域化に対応した高価な部品を使用することなく、製造コストを低減できる。従来の規格化されたチューナで受信することが可能となる。
【００３６】
また、本実施形態では、ＪＣＳＡＴ−３、ＪＣＳＡＴ−４の２衛星に対してビル陰となる等の不感エリアのシステム利用希望者や、伝送ケーブル等を追加して配線工事することが困難なマンション等の居住者等が、ＪＣＳＡＴ−３，ＪＣＳＡＴ−４の衛星信号を受信できる。一例として、第１及び第２衛星受信アンテナ１２，１３を、両衛星信号が受信できるビルの屋上に設置し、同屋上から地上の不感エリアに向けて第１及び第２再送信アンテナ５１，６８を配置すれば、不感エリア内の利用希望者は再受信装置４６と信号切替器２０とチューナ２７（図１の２点鎖線内に示す機器）等を用意することによって、大掛かりな配線作業を無くし、設置作業を簡素化してこれらの衛星信号を受信できる。
【００３７】
図７は、第１再送信装置４５の第１再送信アンテナ５１から放射された無線伝送信号の主ローブの半値角を表す指向性特性図であり、図８は、再受信装置４６の第１再受信アンテナ７２の主ローブの半値角を表す指向性特性図である。図７及び図８から分かるように、本実施形態に使用された第１再送信アンテナ５１の半値角は、第１再受信アンテナ７２の半値角よりも大きくなっている。本実施形態では、第１再送信アンテナ５１の第１送信フィードホーン部４９の開口径を、第１再受信アンテナ７２のフィードホーン部の開口径よりも小さく形成することによって実現している。このように、第１再受信アンテナ７２の主ローブを絞ったので、ＪＣＳＡＴ−３、ＪＣＳＡＴ−４から直接入射される衛星信号との混信を防止できる。また、再送信サービスエリアを広くでき、第１再送信アンテナ５１の設置位置や設置方向が多少ずれた場合であっても、無線伝送信号の品質を劣化させることなく、再受信側の受信強度を確保できると共に、無線伝送効率を向上できる。
【００３８】
尚、本発明は上記実施形態に限定されるものではなく、以下に例示するように、本発明の趣旨を逸脱しない範囲で各部の形状並びに構成を適宜に変更して実施することも可能である。
（１）ＪＣＳＡＴ−３及びＪＣＳＡＴッ４の衛星信号に加えて、ＢＳ信号及び１１０・ＣＳ信号も無線伝送してもよい。例えば、ＢＳ信号及び１１０・ＣＳ信号をその周波数帯及び円偏波の組を変更せずに無線伝送する場合には、第３の衛星受信アンテナ３を新たに設けた第３の送受信装置に接続し直すと共に、第１送受信装置４４に、Ｖ１信号及びＨ１信号の周波数帯をＩＦ−Ｖ２信号、ＩＦ−Ｈ２信号、ＢＳ信号及び１１０・ＣＳ信号の周波数帯とは異なる周波数帯に変換するコンバータ部（請求項２の第２周波数変換部として）を追加配置し、その周波数変換に伴う関連する構成を変更する。こうすれば、いわゆる共同受信設備の元々設けられていないマンション等においても、ＪＣＳＡＴ−３及びＪＣＳＡＴッ４の衛星信号、ＢＳ信号及び１１０・ＣＳ信号を受信できる。
（２）第１及び第２送受信装置４４，６４による無線伝送を、直線偏波に限らず、右旋円偏波または左旋円偏波の円偏波を使用しておこなうこともできる。この場合には、第１及び第２再受信アンテナ７２，７３の偏波面調整が不要になる。また、ＪＣＳＡＴ−３、ＪＣＳＡＴ−４から直線偏波で直接入射される衛星信号との混信を防止できる。さらに、無線伝送信号がビルの壁面等で反射した場合であっても、伝送による信号品質の劣化を防止できる。また、例えば第１送受信装置４４には直線偏波を使用し、第２送受信装置６４には円偏波を使用する等、組み合わせて用いても良い。
【００３９】
【発明の効果】
以上詳述したように、請求項１及び請求項２、請求項４及び請求項５の発明によれば、システムの設置作業が簡単にでき、無線伝送信号を狭帯域化できる。
【００４０】
請求項３の発明によれば、再送信アンテナの設置位置や設置方向が多少ずれた場合であっても、再送信側の半値角が広いので、再受信側の受信強度を確保できると共に、無線伝送効率を向上できる。
【図面の簡単な説明】
【図１】本発明に係る衛星信号受信伝送システムの実施形態の一例を示すブロック図である。
【図２】図１の受信信号周波数の変化を示す周波数スペクトラムであり、（ａ）は地上波とＩＦ変換後のＢＳ，ＣＳの伝送信号、（ｂ）はアンテナに入力されるＪＣＳＡＴ−３及びＪＣＳＡＴ−４の衛星信号、（ｃ）はＩＦ変換したＪＣＳＡＴ−４の信号、（ｄ）は更にＪＣＳＡＴ−４の信号をＩＦ変換し、ＪＣＳＡＴ−３の信号もＩＦ変換した信号を示している。
【図３】図１の第１再送信装置のブロック図である。
【図４】図１の第２再送信装置のブロック図である。
【図５】図１の再受信装置のブロック図である。
【図６】図１の信号切替器のブロック図である。
【図７】図１の第１再送信アンテナの放射特性図である。
【図８】図１の第１再受信アンテナの放射特性図である。
【符号の説明】
３・・第３の衛星受信アンテナ、１２・・第１衛星受信アンテナ、１３・・第２衛星受信アンテナ、１４・・第２周波数変換手段としての第２コンバータ、２０・・信号切替器、２７・・ＪＣＳＡＴ用チューナ、３４・・出力切替器、４４・・第１送受信装置、４５・・第１再送信装置、４６・・再受信装置、４７・・第１ＬＮＡ、５１・・第１再送信アンテナ、６４・・第２送受信装置、６５・・第２再送信装置、６６・・第１コンバータ部、６７・・第２ＬＮＡ、６８・・第２再送信アンテナ、７２・・第１再受信アンテナ、７３・・第２再受信アンテナ、７４・・信号切替回路、７５・・ＲＦアンプ部、７６・・第２コンバータ部。
【図１】
2004297221.tif 000003
【図２】
2004297221.tif 000004
【図３】
2004297221.tif 000005
【図４】
2004297221.tif 000006
【図５】
2004297221.tif 000007
【図６】
2004297221.tif 000008
【図７】
2004297221.tif 000009
【図８】
2004297221.tif 000010